(57)【要約】【課題】  キーを１度押すことによりそのキーの名称や機能等を操作者に音声で知らせることによって、操作性を向上させる。【解決手段】  音声データ記憶手段８はタッチパネル５の各キーの名称や機能等を示す音声データを記憶する。時間設定手段７はキーが１度目に押されてから２度目に押されるまでの最大待機時間を設定する。キー選択検知手段４がキーが押されたことを検知すると、音声データ記憶手段８からそのキーに対応する音声データを読み出し音声出力手段９から音声として出力する。これと共に操作パネル振動手段１２は、振動時間設定手段１０、振動周波数設定手段１１、振動波形設定手段１５により設定された振動時間、振動周波数、振動波形によりタッチパネル５の一部を振動させる。【選択図】  図１
2005149385.tif 000002
【特許請求の範囲】
【請求項１】
複数のキーが表示され、その１つを操作者が触れて選択することにより機器の動作を決定するタッチパネルを有する機器操作装置において、
各キーの機能に関する情報を示す音声データを記憶する音声データ記憶手段と、
キーが選択されたことを検知するキー選択検知手段と、
キーが選択されたことが検知されたとき音声データ記憶手段から対応する音声データを読み出して音声に変換し出力する音声出力手段とを設けたことを特徴とする機器操作装置。
【請求項２】
前記キーが選択されたことが検知されたとき前記タッチパネルの一部を振動させる振動手段と、
前記振動させる際の振動波形、振動時間、振動周波数の全てまたはいずれかを設定する設定手段とを設けたことを特徴とする請求項１記載の機器操作装置。
【請求項３】
前記キーが１度目に押された時に前記音声データ記憶手段から対応する音声データを読み出し前記音声出力手段から音声として出力し、２度目に同じキーが押されたときはそのキー本来の機能を実行し、前記２度目に違うキーが押されたときは前記音声データ記憶手段から対応する音声データを読み出し、前記音声出力手段から音声として出力することを特徴とする請求項１または２記載の機器操作装置。
【請求項４】
前記キーが１度目に押されてから２度目に押されるまでの最大待機時間を設定する時間設定手段を設けたことを特徴とする請求項１から３のいずれか１項に記載の機器操作装置。
【請求項５】
前記時間設定手段で設定できる待機時間は、０秒乃至６０秒程度まで任意に設定できることを特徴とする請求項４記載の機器操作装置。
【請求項６】
前記最大待機時間の設定は各キー個別に行うことができることを特徴とする請求項４または５記載の機器操作装置。
【請求項７】
前記キーが１度目に押されてから２度目に押されるまでの時間が前記最大待機時間を超えた場合、１度目のキー選択検知情報を解除することを特徴とする請求項４から６のいずれか１項に記載の機器操作装置。
【請求項８】
前記キー選択検知情報を解除する際、警告音により操作者に知らせることを特徴とする請求項７記載の機器操作装置。
【請求項９】
前記キー選択検知情報解除を操作者に知らせるかどうかを操作者自身で選択できることを特徴とする請求項８記載の機器操作装置。
【請求項１０】
前記音声出力手段より音声を出力するかどうかを操作者自身が選択できることを特徴とする請求項１記載の機器操作装置。
【請求項１１】
前記操作者が前記音声出力手段より音声を出力しないことを選択した場合、１度目のキー押下によりその機能を実行することを特徴とする請求項１０記載の機器操作装置。
【請求項１２】
前記タッチパネルの一部を振動させる時間を前記振動時間設定手段により操作者自身が設定できることを特徴とする請求項２記載の機器操作装置。
【請求項１３】
前記振動時間設定手段で設定できる振動時間は、０秒乃至６０秒程度まで任意に設定できることを特徴とする請求項１２記載の機器操作装置。
【請求項１４】
前記タッチパネルの一部を振動させる周波数を前記振動周波数設定手段により操作者自身が設定できることを特徴とする請求項２記載の機器操作装置。
【請求項１５】
前記振動周波数設定手段で設定できる振動周波数は、０Ｈｚ乃至１００Ｈｚ程度まで任意に設定できることを特徴とする請求項１４記載の機器操作装置。
【請求項１６】
前記時間設定手段で設定された最大待機時間を、機器に内蔵された記憶装置に保存するかまたは外部記憶装置に保存するかを選択できることを特徴とする請求項４記載の機器操作装置。
【請求項１７】
前記設定手段で設定された振動波形、振動時間、振動周波数の全てまたはいずれかを機器に内蔵された記憶装置に保存するかまたは外部記憶装置に保存するかを選択できることを特徴とする請求項２記載の機器操作装置。
【請求項１８】
前記外部記憶装置は前記機器に取り外し可能に装着されることを特徴とする請求項１６または１７記載の機器操作装置。
【請求項１９】
前記内蔵された記憶装置または外部記憶装置に保存された前記最大待機時間は、パスワードにより保護され、パスワードの一致が確認された場合のみ保存された設定内容を変更できることを特徴とする請求項１６記載の機器操作装置。
【請求項２０】
前記内蔵された記憶装置または外部記憶装置に保存された前記振動波形、振動時間、振動周波数の全てまたはいずれかは、パスワードにより保護され、パスワードの一致が確認された場合のみ保存された設定内容を変更できることを特徴とする請求項１７記載の機器操作装置。
【請求項２１】
前記パスワードは、それぞれ個別のパスワードを設定するか全て同じパスワードを設定するかを選択できることを特徴とする請求項１９または２０記載の機器操作装置。
【請求項２２】
前記パスワードは１０文字以内の英数字の組み合わせで構成されることを特徴とする請求項１９から２１のいずれか１項に記載の機器操作装置。
【請求項２３】
前記設定手段で設定できる振動波形は、正弦波、矩形波、三角波あるいはこれらの波形の組み合わせであることを特徴とする請求項４記載の機器操作装置。
【請求項２４】
前記設定された振動波形の振動時間は、前記設定手段で設定されることを特徴とする請求項２３記載の機器操作装置。
【請求項２５】
前記設定された振動波形の振動周波数は、前記設定手段により設定され、単一の周波数あるいは複数の周波数の組み合わせであることを特徴とする請求項２３または２４記載の機器操作装置。
【請求項２６】
前記設定手段による前記振動波形、振動時間、振動周波数の全てまたはいずれかの設定は各キー個別に行うことができることを特徴とする請求項２記載の機器操作装置。
【請求項２７】
請求項１から２６のいずれか１項記載の機器操作装置を備えたことを特徴とする画像処理装置。
【請求項２８】
複数のキーが表示され、その１つを操作者が触れて選択することにより機器の動作を決定するタッチパネルを有する機器操作装置で用いられるプログラムであって、
キーが選択されたかどうかを検知するキー選択検知処理と、
キーが選択されたことが検知されたとき音声データ記憶手段から対応するキーの機能に関する音声データを読み出して音声に変換し出力する音声出力処理とをコンピュータに実行させるプログラム。
【請求項２９】
前記キーが選択されたことが検知されたとき前記タッチパネルの一部を振動させる振動処理と、
前記振動させる際の振動波形、振動時間、振動周波数の全てまたはいずれかを設定する設定処理とをコンピュータに実行させることを特徴とする請求項２８記載のプログラム。
【請求項３０】
請求項２８または２９記載のプログラムを記録したコンピュータ読み取り可能な記録媒体。
【発明の詳細な説明】
【技術分野】
【０００１】
本発明は、機器のタッチパネルに表示されるキーの名称や機能等を操作者に知らせることができる機器操作装置、この機器操作装置を用いた画像処理装置、及びこれらの装置で用いられるプログラム、記録媒体に関するものである。
【背景技術】
【０００２】
これまでの複写機やプリンタに代表される画像形成装置においては、操作部の各キーがどのような機能を持っているかを知るには、取扱説明書を読まなければ解らなかった。しかし、近年における画像形成装置はその機能が多機能化して設定が複雑になり、このためキー数も多くなって取扱説明書から各キーの機能を知ることが困難になってきている。
また従来より、視覚障害者が識別可能な数字を操作パネルの各キーに対応して配した型板を装着し、その数字を指で触れると対応するキーを説明する音声ガイドが流れ、その内容が希望する機能であれば、そのキーを押すことにより機器を動作させるようにした機器操作装置が提案されている（例えば、特許文献１参照）。しかしながらこの装置は、一旦型板の数字に触れて機能を確認してから実際のキーを押すので、手間がかかると共に、型板を用意する必要がある等の問題があった。
【特許文献１】特開２００３−０６７１１９号公報
【発明の開示】
【発明が解決しようとする課題】
【０００３】
本発明は上記の問題に鑑みてなされたものであり、操作部のキーを１度押すことによりそのキーの機能に関する情報を操作者が音声で知ることができるようにすることを課題とする。
【課題を解決するための手段】
【０００４】
請求項１記載の発明は、複数のキーが表示され、その１つを操作者が触れて選択することにより機器の動作を決定するタッチパネルを有する機器操作装置において、各キーの機能に関する情報を示す音声データを記憶する音声データ記憶手段と、キーが選択されたことを検知するキー選択検知手段と、キーが選択されたことが検知されたとき音声データ記憶手段から対応する音声データを読み出して音声に変換し出力する音声出力手段とを設けたことを特徴とする。
【０００５】
請求項２記載の発明は、請求項１記載の発明において、キーが選択されたことが検知されたときタッチパネルの一部を振動させる振動手段と、振動させる際の振動波形、振動時間、振動周波数の全てまたはいずれかを設定する設定手段とを設けたことを特徴とする。
【０００６】
請求項３記載の発明は、請求項１または２記載の発明において、キーが１度目に押された時に音声データ記憶手段から対応する音声データを読み出し音声出力手段から音声として出力し、２度目に同じキーが押されたときはそのキー本来の機能を実行し、２度目に違うキーが押されたときは音声データ記憶手段から対応する音声データを読み出し、音声出力手段から音声として出力することを特徴とする。
【０００７】
請求項４記載の発明は、請求項１から３のいずれか１項において、キーが１度目に押されてから２度目に押されるまでの最大待機時間を設定する時間設定手段を設けたことを特徴とする。
【０００８】
請求項５記載の発明は、請求項４記載の発明において、時間設定手段で設定できる待機時間は、０秒乃至６０秒程度まで任意に設定できることを特徴とする。
【０００９】
請求項６記載の発明は、請求項４または５記載の発明において、最大待機時間の設定は各キー個別に行うことができることを特徴とする。
【００１０】
請求項７記載の発明は、請求項４から６のいずれか１項に記載の発明において、キーが１度目に押されてから２度目に押されるまでの時間が最大待機時間を超えた場合、１度目のキー選択検知情報を解除することを特徴とする。
【００１１】
請求項８記載の発明は、請求項７記載の発明において、キー選択検知情報を解除する際、警告音により操作者に知らせることを特徴とする。
【００１２】
請求項９記載の発明は、請求項８記載の発明において、キー選択検知情報解除を操作者に知らせるかどうかを操作者自身で選択できることを特徴とする。
【００１３】
請求項１０記載の発明は、請求項１記載の発明において、音声出力手段より音声を出力するかどうかを操作者自身が選択できることを特徴とする。
【００１４】
請求項１１記載の発明は、請求項１０記載の発明において、操作者が音声出力手段より音声を出力しないことを選択した場合、１度目のキー押下によりその機能を実行することを特徴とする。
【００１５】
請求項１２記載の発明は、請求項２記載の発明において、タッチパネルの一部を振動させる時間を振動時間設定手段により操作者自身が設定できることを特徴とする。
【００１６】
請求項１３記載の発明は、請求項１２記載の発明において、振動時間設定手段で設定できる振動時間は、０秒乃至６０秒程度まで任意に設定できることを特徴とする。
【００１７】
請求項１４記載の発明は、請求項２記載の発明において、タッチパネルの一部を振動させる周波数を振動周波数設定手段により操作者自身が設定できることを特徴とする。
【００１８】
請求項１５記載の発明は、請求項１４記載の発明において、振動周波数設定手段で設定できる振動周波数は、０Ｈｚ乃至１００Ｈｚ程度まで任意に設定できることを特徴とする。
【００１９】
請求項１６記載の発明は、請求項４記載の発明において、時間設定手段で設定された最大待機時間を、機器に内蔵された記憶装置に保存するかまたは外部記憶装置に保存するかを選択できることを特徴とする。
【００２０】
請求項１７記載の発明は、請求項２記載の発明において、設定手段で設定された振動波形、振動時間、振動周波数の全てまたはいずれかを機器に内蔵された記憶装置に保存するかまたは外部記憶装置に保存するかを選択できることを特徴とする請求項２記載の機器操作装置。
【００２１】
請求項１８記載の発明は、請求項１６または１７記載の発明において、外部記憶装置は機器に取り外し可能に装着されることを特徴とする。
【００２２】
請求項１９記載の発明は、請求項１６記載の発明において、内蔵された記憶装置または外部記憶装置に保存された最大待機時間は、パスワードにより保護され、パスワードの一致が確認された場合のみ保存された設定内容を変更できることを特徴とする。
【００２３】
請求項２０記載の発明は、請求項１７記載の発明において、内蔵された記憶装置または外部記憶装置に保存された振動波形、振動時間、振動周波数の全てまたはいずれかは、パスワードにより保護され、パスワードの一致が確認された場合のみ保存された設定内容を変更できることを特徴とする。
【００２４】
請求項２１記載の発明は、請求項１９または２０記載の発明において、パスワードは、それぞれ個別のパスワードを設定するか全て同じパスワードを設定するかを選択できることを特徴とする。
【００２５】
請求項２２記載の発明は、請求項１９から２１のいずれか１項に記載の発明において、パスワードは１０文字以内の英数字の組み合わせで構成されることを特徴とする。
【００２６】
請求項２３記載の発明は、請求項４記載の発明において、設定手段で設定できる振動波形は、正弦波、矩形波、三角波あるいはこれらの波形の組み合わせであることを特徴とする。
【００２７】
請求項２４記載の発明は、請求項２３記載の発明において、設定手段で設定できる振動波形は、設定手段で設定されることを特徴とする。
【００２８】
請求項２５記載の発明は、請求項２３または２４記載の発明において、設定された振動波形の振動周波数は、設定手段により設定され、単一の周波数あるいは複数の周波数の組み合わせであることを特徴とする。
【００２９】
請求項２６記載の発明は、請求項２記載の発明において、設定手段による振動波形、振動時間、振動周波数の全てまたはいずれかの設定は各キー個別に行うことができることを特徴とする。
【００３０】
請求項２７記載の発明は、請求項１から２６のいずれか１項記載の機器操作装置を備えたことを特徴とする。
【００３１】
請求項２８記載の発明は、複数のキーが表示され、その１つを操作者が触れて選択することにより機器の動作を決定するタッチパネルを有する機器操作装置で用いられるプログラムであって、キーが選択されたかどうかを検知するキー選択検知処理と、キーが選択されたことが検知されたとき音声データ記憶手段から対応するキーの機能に関する音声データを読み出して音声に変換し出力する音声出力処理とをコンピュータに実行させることを特徴とする。
【００３２】
請求項２９記載の発明は、請求項２８記載の発明において、キーが選択されたことが検知されたとき前記タッチパネルの一部を振動させる振動処理と、振動させる際の振動波形、振動時間、振動周波数の全てまたはいずれかを設定する設定処理とをコンピュータに実行させることを特徴とする。
【００３３】
請求項３０記載の発明は、請求項２８または２９記載のプログラムを記録したことを特徴とする。
【発明の効果】
【００３４】
本発明によれば、キーを１度押すことによりそのキーの名称や機能等を操作者に音声で知らせることによって、操作性を向上させることができる。
【発明を実施するための最良の形態】
【００３５】
本発明は、各キーの名称、機能等を含む情報を示す音声データを記憶しておき、キーが選択されたとき対応する音声データの音声を出力するようにした。
【実施例】
【００３６】
図１は本発明の実施例による電子写真方式の画像形成装置を示すブロック図である。
図１において、ＣＰＵ１はＲＯＭ２に格納されていている制御プログラムにより本装置の制御を行っている。ＲＡＭ３はＣＰＵ１で処理されたデータを一時的に記憶している。ＣＰＵ１は必要に応じてＲＡＭ３にデータを記憶させたり読み出したりしている。キー選択検知手段４は操作部にあるタッチパネル５のキーが押されたかどうかを検知し、選択されたキーの情報をＣＰＵ１に送る。
【００３７】
音声データ記憶手段８は、キーに対応した名称や機能などを示す音声データが格納されている。ＣＰＵ１は送られてきたキー情報をもとに音声データ記憶手段８からキーに対応した名称や機能などの音声データを読み出し、音声出力手段９に送り音声として出力する。
【００３８】
時間設定手段７は、キーが１度目に押されてから２度目に押されるまでの最大待機時間を設定する。設定できる最大待機時間は操作者が予め０秒から６０秒まで任意に設定できるものとする。ＬＣＤ６はタッチパネル５の下に配置され、グラフィックにより複数のキーを表示する。ＣＰＵ１はタッチパネル５の横方向および縦方向の座標データからＬＣＤ６により表示されたキーのいずれが選択されたかを判断する。
【００３９】
さらに、キーが押されたことを検知すると、ＣＰＵ１は振動時間設定手段１０により設定された振動時間と、振動周波数設定手段１１により設定された振動周波数と、振動波形設定手段１５により設定された振動波形により操作パネル振動手段１２を制御する。設定できる振動時間は操作者が予め０秒から６０秒まで任意に設定できるものとする。また、設定できる振動周波数は操作者が予め０Ｈｚから１００Ｈｚまで任意に設定できるものとする。
【００４０】
振動波形設定手段１５で設定される波形の例を図５に示す。図５（ａ）は正弦波の例、図５（ｂ）は矩形波の例、図５（ｃ）は三角波の例、図５（ｄ）は同じ波形で、途中から周波数が変わる例、図５（ｅ）は同じ周波数の複数種類の波形の組み合わせ例、図５（ｆ）は、複数種類の波形と周波数の組み合わせ例である。
【００４１】
時間設定手段７により設定された最大待機時間、振動時間設定手段１０により設定された振動時間、振動周波数設定手段１１により設定された振動周波数、振動波形設定手段１５により設定された振動波形は、画像形成装置に内蔵された記憶装置１３あるいは外部記憶装置１４に保存できるものとする。外部記憶装置１４を取り替えることにより各個人あるいはグループの設定を変えることができるものとする。また、最大待機時間、振動波形、振動時間、振動周波数は、各キー毎に設定することができる。
【００４２】
また、前記設定された最大待機時間、振動時間、振動周波数、振動波形は、パスワードにより保護され、パスワードの一致が確認された場合のみ保存された設定内容を変更できる。パスワードは１０文字以内の英数字の組み合わせで、それぞれ個別のパスワードを設定するか全て同じパスワードを設定するかを選択できるものとする。
【００４３】
図２及び図３は本発明によるキー選択検出から機能実行までを示すフローチャートである。
ステップＳ１（以下ステップ略）では、タッチパネル５上のキーが押されたか（選択されたか）どうかを検出し、キーが押されたらＳ２へ、押されていなければ待機状態となりＳ１に戻る。Ｓ２では、予め設定された音声出力有り・無しの設定により、音声出力有りの場合は音声データ記憶手段８から該当する音声データを読み出し、これを音声出力手段で音声に変換して出力する（Ｓ３）。音声出力無しの場合はキー本来の機能を実行する（Ｓ１０）。Ｓ４では、再度キー選択検出が行われ、キー選択が検出されたらＳ５に移り、同じキーが選択されたかどうかを判断する。同じキーが選択されていればキー本来の機能を実行し（Ｓ１０）、違うキーが選択されていればＳ３に戻り、選択されたキーに対応した音声出力を実行する。
【００４４】
Ｓ４でキー選択が検出されなければＳ６に移り、時間をカウントする。Ｓ７では、Ｓ６でカウントされた時間と予め時間設定手段７で設定した待機時間とを比較し、カウント値が設定値に達していなければＳ４に戻り、設定値に達していたらキー情報の解除を行う。
Ｓ８では、予め設定されたキー情報解除の通知・非通知の設定により、通知の場合は警告音により操作者に通知し（Ｓ９）、非通知の場合はＳ１に戻り、キー選択待ちとなる。
【００４５】
なお、本実施例では、キー選択検知手段４の機能と時間設定手段７の機能を別の機能ブロックとして説明しているが、これらの機能はＣＰＵ１の中にあっても良い。
また、本実施例では、ＲＯＭ２と音声データ記憶手段８を別の機能ブロックとして説明しているが、これらの機能は一つの機能ブロックとしても良い。
【００４６】
キー選択検出が行われると、振動波形設定手段１５、振動周波数設定手段１１で予め設定された振動波形、振動周波数が振動周波数設定手段１１に設定され（Ｓ１０、Ｓ１１）、操作パネル振動手段１２はこの振動波形と振動周波数でタッチパネルの一部を振動させる動作を開始する（Ｓ１２）。そして振動時間をカウントし（Ｓ１３）、カウントされた時間と振動時間設定手段１０で予め設定した時間とを比較し、カウント値が設定値に達していなければＳ１３に戻り、設定値に達したら操作パネル振動手段１２の動作を停止する（Ｓ１５）。
【００４７】
本実施例では、時間設定手段７と振動時間設定手段１０と振動波形設定手段１５は別の機能ブロックとして説明しているが、これらの機能は一つの機能ブロックとしても良い。また、操作パネル振動手段１２はタッチパネルを振動させるように設置されていても良いし、操作パネル面に専用の振動パッドなどが設けられていても良い。
【００４８】
図４は本発明によるパスワードの設定を示すフローチャートである。
Ｓ１６では、時間設定手段７により設定された最大待機時間、振動時間設定手段１０により設定された振動時間、振動周波数設定手段１１により設定された振動周波数に対しそれぞれ個別のパスワードを設定するか、全て同じパスワードを設定するかを選択する。全ての項目に対し同じパスワードを設定する場合、共通のパスワードを入力して（Ｓ１７）設定を終了する。それぞれ個別のパスワードを設定する場合、各項目に対しパスワードを入力して（Ｓ１８，１９，２０）設定を終了する。
【００４９】
本実施例によれば、キーを１度押すことによりそのキーの名称や機能等を操作者に音声で知らせることができるので、操作者はキーの機能を正しく知ることができ、操作性を向上させることができる。また、タッチパネルの一部を設定された振動波形、振動時間、振動周波数で振動させることにより、キーが押されたことをさらに明確に知ることができる。
【００５０】
なお、図２から図４のフローチャートに示す処理を、ＣＰＵ１が実行するためのプログラムは本発明によるプログラムを構成する。また、このプログラムを記録する記録媒体は、本発明によるコンピュータ読み取り可能な記録媒体を構成する。この記録媒体としては、半導体記憶装置や光学的及び／または磁気的な記憶装置等を用いることができる。このようなプログラム及び記録媒体を、前述した実施例とは異なる構成のシステム等で用い、そこのＣＰＵで上記プログラムを実行させることにより、本発明と実質的に同じ効果を得ることができる。
【図面の簡単な説明】
【００５１】
【図１】本発明の実施例による機器操作装置の構成を示すブロック図である。
【図２】機器操作装置の動作を示すフローチャートである。
【図３】機器操作装置の動作を示すフローチャートである。
【図４】パスワード設定の動作を示すフローチャートである。
【図５】設定可能な振動波形を示す波形図である。
【符号の説明】
【００５２】
１    ＣＰＵ
２    ＲＯＭ
３    ＲＡＭ
４    キー選択検知手段
５    タッチパネル
６    ＬＣＤ
７    時間設定手段
８    音声データ記憶手段
９    音声出力手段
１０    振動時間設定手段
１１    振動周波数設定手段
１２    操作パネル振動手段
１３    内蔵記憶装置
１４    外部記憶装置
１５    振動波形設定手段
【図１】
2005149385.tif 000003
【図２】
2005149385.tif 000004
【図３】
2005149385.tif 000005
【図４】
2005149385.tif 000006
【図５】
2005149385.tif 000007